【事件の表示】
　特願２０１５−１１８７８１「還元剤タンクの取付構造」拒絶査定不服審判事件〔平成２９年１月５日出願公開、特開２０１７−２８４９、請求項の数（１）〕について、次のとおり審決する。
【結　論】
　原査定を取り消す。
　本願の発明は、特許すべきものとする。
【理　由】
第１　手続の経緯
　本願は、平成２７年６月１２日の出願であって、平成３１年２月２７日付け（発送日：平成３１年３月８日）で拒絶理由が通知され、平成３１年４月２６日に意見書及び手続補正書が提出されたが、令和元年９月１８日付け（発送日：令和元年９月２０日）で拒絶査定（以下「原査定」という。）がされ、これに対して令和元年１２月１９日に拒絶査定不服審判の請求がされるとともに、その審判の請求と同時に手続補正書が提出され、令和２年２月１９日付けで前置報告がされ、令和２年５月７日に上申書が提出されたものである。
第２　原査定の概要
　原査定の概要は次のとおりである。
　（進歩性）本願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　記　　　（引用文献等については引用文献等一覧参照）
・請求項１及び２に対して　引用文献１及び２
　　　　　　　　　　　　　　　　＜引用文献等一覧＞
　１．特開２０１５−２５４５６号公報
　２．特開２０１２−５１５２９号公報（周知技術を示す文献）
第３　本願発明
　本願の請求項１に係る発明（以下「本願発明」という。）は、令和元年１２月１９日の手続補正により補正がされた特許請求の範囲の請求項１に記載された事項により特定される以下のとおりのものである。
「【請求項１】
　タンク底面部と、前記タンク底面部の第１所定方向の両端から起立する１対のタンク壁面部と、前記タンク底面部の前記第１所定方向と交叉する第２所定方向の一側の一端から起立する第２のタンク壁面部と、前記タンク底面部の上方で前記タンク底面部に対向するタンク上面部とを有する還元剤タンクと、
　前記還元剤タンクの前記タンク底面部を下方から支持するブラケット底面部と、前記ブラケット底面部の前記第１所定方向の両端から起立して相対向し、前記タンク底面部が前記ブラケット底面部によって支持されたタンク載置状態で前記１対のタンク壁面部に外側からそれぞれ対向する１対のブラケット壁面部とを有し、車体フレームに対して固定されて前記還元剤タンクを保持するブラケットと、
　前記タンク載置状態で前記第２のタンク壁面部の前記第２所定方向の前記一側で前記第１所定方向に延びて、前記第１所定方向の両端部が前記ブラケットの前記１対のブラケット壁面部に対して固定された状態で前記還元剤タンクを支持するバンドと、を備え、
　前記１対のブラケット壁面部と前記１対のタンク壁面部とは、前記タンク載置状態で前記還元剤タンクの膨張を許容するように前記第１所定方向に離間して配置され、
　前記タンク底面部には、タンク側係合部が形成され、
　前記ブラケット底面部には、前記タンク載置状態で前記タンク底面部の前記タンク側係合部と係合するブラケット側係合部が形成され、
　前記還元剤タンクの前記第２のタンク壁面部には、第１の凸部が形成され、
　前記バンドは、前記１対のブラケット壁面部に対して固定された状態で前記還元剤タンクの前記第１の凸部と係合する支持凹部を有し、
　前記タンク底面部の前記タンク側係合部及び前記ブラケット底面部の前記ブラケット側係合部のうち、一方の底面部の係合部は、他方の底面部側へ突出した状態で前記第２所定方向に延びる第２の凸部であり、前記他方の底面部の係合部は、前記一方の底面部側から凹んだ状態で前記第２所定方向に延びる凹部であり、
　前記バンドを前記１対のブラケット壁面部に対して固定する前の状態では、前記タンク底面部の前記タンク側係合部と前記ブラケット底面部の前記ブラケット側係合部との係合は、前記ブラケット底面部に対する前記還元剤タンクの前記第２所定方向に沿ったスライド移動を許容し、
　前記バンドは、前記１対のブラケット壁面部に対して固定された状態で、前記ブラケット底面部に対する前記還元剤タンクの前記第２所定方向の前記一側へのスライド移動を規制し、
　前記タンク底面部の前記タンク側係合部と前記ブラケット底面部の前記ブラケット側係合部との係合、及び前記還元剤タンクの前記第１の凸部と前記バンドの前記支持凹部との係合は、前記ブラケットに対する前記還元剤タンクの前記第１所定方向に沿った移動を規制する
　ことを特徴とする還元剤タンクの取付構造。」
第４　引用文献、引用発明等
１　引用文献１
　原査定の拒絶の理由に引用された特開２０１５−２５４５６号公報（以下「引用文献１」という。）には、「ホイールローダ」に関して、図面とともに次の事項が記載されている（下線は当審が付与した。以下同様。）。
（１）「【００２７】
　以下、本発明に係るホイールローダの実施形態について図面を参照しつつ説明する。図１は、ホイールローダ１の右側面図である。なお、以下の説明において、
「前」及び「後」とは車体３の前後を意味する
「車幅方向」は「左右方向」と同義である
（２）「【００３４】
　図２は、左前方から見た尿素水タンク１３の周囲を示す斜視図、
図３は、左側から見た尿素水タンク１３の側面断面図である
【００３５】
　
タンク本体１３ａは、略直方体状であって、内部に尿素水（還元剤の一例）が貯留される
（３）「【００３８】
　
図２に示すように、尿素水タンク１３は、保持部材１６に保持された状態で支持フレーム１７内に収容される。支持フレーム１７は、梯子１２の裏側空間において、リアフレーム６に固定される
【００３９】
　図４は、尿素水タンク１３を保持した状態の保持部材１６の斜視図である。
保持部材１６は、尿素水タンク１３を保持するための部材である。図４に示すように、保持部材１６は、底板１６ａ、後板１６ｂ、一対の側板１６ｃ、第１規制バー（規制部材の一例）１６ｄ、及び第２規制バー（規制部材の一例）１６ｅを有する
【００４０】
　保持部材１６の底板１６ａは矩形状であり、開口部１６ｆが形成される。保持部材１６が尿素水タンク１３を保持した状態において、
尿素水タンク１３の突出部１３ｆが、底板１６ａの開口部１６ｆを貫通して下方に突出する
【００４１】
　
一対の側板１６ｃは、その前部において尿素水タンク１３の下部から上部まで保持する
一対の側板１６ｃは、その中央部及び後部において尿素水タンク１３の下部を保持する
保持部材１６は、一対の側板１６ｃで尿素水タンク１３の側面全体を保持するのではなく、尿素水タンク１３の側面中央部などを露出させるため、尿素水が凍結して尿素水タンク１３が膨張した場合であっても、保持部材１６が変形することを防ぐことができる
【００４２】
　保持部材１６の各側板１６ｃは、作業者が保持部材１６と共に尿素水タンク１３を前方に引き出したり、元に戻したりするための把手１６ｇを有する。また、各側板１６ｃは、側方に突出する第１凸部１６ｈを前部に、第２凸部１６ｉを後部に有する。第１凸部１６ｈは、第２凸部１６ｉよりも上に位置する。第１及び第２凸部１６ｈ、１６ｉは、支持フレーム１７のレール部１７ａ上を前後方向に摺動する。
【００４３】
　一対の側板１６ｃの前部の上端から上方に取付金具１６ｊが延びる。この取付金具１６ｊを介して、第１規制バー１６ｄは側板１６ｃに取り付けられる。第１規制バー１６ｄは、車幅方向に延び、両端部においてボルト及びナットなどを用いて取付金具１６ｊに取り付けられる。第１規制バー１６ｄは、保持部材１６が尿素水タンク１３を保持した状態において、尿素水タンク１３の前部の上方に位置し、尿素水タンク１３が上方に移動することを規制し、ひいては尿素水タンク１３が保持部材１６から上方へ飛び出ることを防止する。
【００４４】
　
一対の側板１６ｃの前部の中央部から前方に取付金具１６ｋが延びる。この取付金具１６ｋを介して、第２規制バー１６ｅは側板１６ｃに取り付けられる
第２規制バー１６ｅは、保持部材１６が尿素水タンク１３を保持した状態において、尿素水タンク１３の前方に位置し、尿素水タンク１３が前方に移動することを規制し、ひいては尿素水タンク１３が保持部材１６から前方に飛び出ることを防止する
（４）上記（１）、（２）及び図２ないし３の図示内容並びに技術常識から、尿素水タンク１３が、タンク底面部と、前記タンク底面部の左右方向の両端から起立する１対のタンク壁面部と、前記タンク底面部の前方側の一端から起立する第２のタンク壁面部と、前記タンク底面部の上方で前記タンク底面部に対向するタンク上面部とを有していることは自明である。
　上記記載事項、認定事項及び図面（特に、図１ないし７を参照。）の図示内容から、引用文献１には次の発明（以下「引用発明」という。）が記載されている。
〔引用発明〕
「タンク底面部と、前記タンク底面部の左右方向の両端から起立する１対のタンク壁面部と、前記タンク底面部の前方側の一端から起立する第２のタンク壁面部と、前記タンク底面部の上方で前記タンク底面部に対向するタンク上面部とを有する尿素水タンク１３と、
　前記尿素水タンク１３の前記タンク底面部を下方から支持する底板１６ａと、前記底板１６ａの前記左右方向の両端から起立して相対向し、前記タンク底面部が前記底板１６ａによって支持されたタンク載置状態で前記１対のタンク壁面部に外側からそれぞれ対向する一対の側板１６ｃとを有し、リアフレーム６に固定される支持フレーム１７に支持されて前記尿素水タンク１３を保持する保持部材１６と、
　前記タンク載置状態で前記第２のタンク壁面部の前方側で左右方向に延びて、左右方向の両端部が前記保持部材１６の前記一対の側板１６ｃに取り付けられた状態で前記尿素水タンク１３を保持する第２規制バー１６ｅと、を備え、
　前記一対の側板１６ｃは、その前部において尿素水タンク１３の下部から上部まで保持し、その中央部及び後部において尿素水タンク１３の下部を保持し、尿素水タンク１３の側面中央部などを露出させるため、尿素水タンク１３が膨張しても、保持部材１６が変形することを防ぐことができ、
　前記尿素水タンク１３の底面部には突出部１３ｆが形成され、
　前記保持部材１６の底板１６ａには、前記タンク載置状態で前記突出部１３ｆと係合する開口部１６ｆが形成され、
　前記第２の規制バー１６ｅは、前記一対の側板１６ｃに取り付けられた状態で、前記尿素水タンク１３が前記保持部材１６から前方に飛び出ることを防止する、
尿素水タンク１３の取付構造。」
２　引用文献２
　原査定の拒絶の理由に引用された特開２０１２−５１５２９号公報（以下「引用文献２」という。）には、「作業機械の燃料タンク取付装置」に関して、図面とともに次の事項が記載されている。
（１）「【００３８】
　実施形態は、背景技術の説明に合わせて、図７に示す小型油圧ショベルの上部旋回体２に合成樹脂製の燃料タンクを設置する場合を例にとっている。
【００３９】
　実施形態において、
　(ｉ)　アッパーフレーム１１にエンジン等の機器類及びこれらを覆うガードパネル、運転席(いずれも図示しない)等を取付けて上部旋回体を構成する点、
　(ｉｉ)　アッパーフレーム１１は底板１２を有し、この底板１２上の左側(図１の左側
を機械の前方とした場合の左側であって図３では右側。以下にいう前後、左右の方向性について同じ)にフロアプレート１３(図２，３参照)が設けられる点、
　(ｉｉｉ)　このフロアプレート１３は、アッパーフレーム底板１２との間に空間Ｓが形成されるとともにこの空間Ｓの左側面がタンク出し入れ口として外部に開口する状態で、支柱１４(左側前部の１本のみ図示する)によって底板１２上に取付けられる点、
　(ｉｖ)　合成樹脂製の燃料タンク１５は、空間Ｓに外部から出し入れ口を介して出し入れ可能な状態で設置される点
　は、図７に示す従来技術と同じである。」
（２）「【００４３】
　
燃料タンク１５は、空間Ｓにおいて前後一対の押えプレート２０，２０と、タンク左右の側面側でこの押えプレート２０，２０を下向きに締め付ける左右の締め付けロッド２１，２１とによって上からアッパーフレーム底板１２上に押え込まれ、かつ、上下両側で凹凸嵌合によって水平方向に固定される
【００４４】
　この点を詳述する。
【００４５】
　押えプレート２０及び締め付けロッド２１による押さえ込み構造と、タンク上下両側での凹凸嵌合による水平固定構造はタンク左右両側で同じであって、かつ、前後両側のタンク取付部分でも同じであるため、以下の説明は一組または一個所のみについて行う。
【００４６】
　
押えプレート２０は、図示のように水平な本体部分の前後両側に垂直な立ち上がり壁を備えた断面Ｕ字形に形成され、燃料タンク１５の上面に左右方向の全幅に亘って配置される
【００４７】
　この押えプレート２０には、左右両端部にロッド挿通穴２２，２２が設けられるとともに、このロッド挿通穴２２，２２よりも内側に係合穴２３，２３が設けられている(図５参照)。
【００４８】
　また、
同プレート２０の左右両側の下面と燃料タンク上面との間に、ゴム等の摩擦係数の高い弾性材料から成る上側動き止め部材部材としての押えパッド２４，２４が挟み込まれる
【００４９】
　この押えパッド２４，２４は、押えプレート２０の断面形状に対応する断面Ｕ字形に形成され、押えプレート２０に下側から外嵌される。
【００５０】
　ここで、押えパッド２４，２４の上面に上向きに突出する突起２５，２５が設けられ、この突起２５，２５が押えプレート２０の係合穴２３，２２に係合することによって押え
パッド２４，２４が押えプレート２０に結合される。
【００５１】
　また、燃料タンク上面に対する摩擦力を高める工夫として、図６に示すように押えパッド２４，２４の下面が多数のディンプル２４ａ…を備えた凹凸状に形成されている。
【００５２】
　一方、
燃料タンク１５の上面における押えプレート２０の両端部に対応する部分(左右両端部)に凹部２６，２６が設けられ、押えパッド２４，２４がこの凹部２６，２６に嵌合する(図３，４参照)
【００５３】
　
これにより、タンク上面側において燃料タンク１５が前後及び左右方向に位置固定される
【００５４】
　締め付けロッド２１は、ロッド本体２７と、同本体２７の上端側に連設されたねじ部２８とによって構成されている。
【００５５】
　ロッド本体２７の下端部はフック状に曲げられ、このフック部分２７ａが、アッパーフレーム底板１２の上面に取付けられたＬ字形のロッド止め具２９に着脱自在に引っ掛け係止される。
【００５６】
　この状態で、ねじ部２８が押えプレート２０のロッド挿通穴２２に挿通され、これにナット(図ではダブルナットとしている)３０がねじ込まれる。
【００５７】
　これにより、押えプレート２０が下向きに締め付けられて、燃料タンク１５がアッパーフレーム底板１２に上から押さえ込まれる。
【００５８】
　ここで、図４に示すように、締め付けロッド２１のねじ部２８がロッド本体２７よりも小径とされることによって両者の境界部分に段部２１ａが形成され、この段部２１ａによって押えプレート２０の締め付け代が規制される。
【００５９】
　また、燃料タンク１５における締め付けロッド２１に対面する左右両側面に、同ロッド２１に対する逃げ用の凹溝３１(図２，３参照)がタンク全高に亘って設けられ、締め付けロッド２１がこの凹溝３１内に配置される。」
　上記記載事項及び図面（特に、図２、３及び５を参照。）の図示内容から、引用文献２には次の事項（以下「引用文献２記載事項」という。）が記載されている。
〔引用文献２記載事項〕
「押えプレート２０の左右両側の下面と燃料タンク１５上面との間に、押えパッド２４，２４が挟み込まれ、前記燃料タンク１５の上面における前記押えプレート２０の左右両端部に対応する部分に凹部２６，２６が設けられ、前記押えパッド２４，２４がこの凹部２６，２６に嵌合することにより、タンク上面側において燃料タンク１５が前後及び左右方向に位置固定されること。」
３　引用文献３
　令和２年２月１９日付けの前置報告書において引用された実願昭６２−１６５３９２号（実開平１−７３０２４号）のマイクロフィルム（以下「引用文献３」という。）には、「車両用燃料タンクの固定構造」に関して、図面とともに次の事項が記載されている。
（１）「第１図〜第４図に示すように、間隔を隔てて並設される一対のサイドメンバ１は、上下フランジ２，３を有する断面コ字状のチャネル材で成り、これらフランジ２，３で区画されたチャネル部４が互いに向い合うように並設される。
　このように構成されたサイドメンバ１，１間にはプラスチック製のタンク５が配置される。
　この
タンク５の底面には多数の係合凹部６が、そのタンク５の成形時に一体に成形加工されて設けられる
　この係合凹部６は、タンク５の底面で、かつその据付時、車長方向に向くように多数平行して設けられる。他方、サイドメンバ１，１間に掛け渡される
ブラケット７には、タンク５の底面の係合凹部６と係合する係合凸部８が各係合凹部６の位置に対向して形成される
　
タンク５の係合凹部６とブラケット７の係合凸部の係合は
第４図に示すようにタンク５の係合凹部６にブラケット７の係合凸部８をスライドさせて係合するようにしてもよい
（２）「また、
タンク５はその係合凹部６がブラケット７の係合凸部８と係合するため、車幅方向の移動を拘束できる
（３）「第１〜４図において、
タンク５の係合凹部６とブラケット７の係合凸部８との係合は、車幅方向を拘束し、車長方向は係合しない
　上記記載事項及び図面（特に、第１ないし４図を参照。）の図示内容から、引用文献３には次の事項（以下「引用文献３記載事項」という。）が記載されている。
〔引用文献３記載事項〕
「タンク５の底面には係合凹部６が形成され、ブラケット７には係合凸部が形成され、タンク５の底面の係合凹部６とブラケット７の係合凸部の係合は、タンク５のブラケット７に対する車長方向のスライドを許容し、車幅方向の移動を拘束するものであること。」
第５　対比・判断
　本願発明と引用発明とを対比すると、引用発明における「左右方向」は、その機能、構成または技術的意義から見て、本願発明における「第１所定方向」に相当し、以下同様に、「前方側」は「前記第１所定方向と交叉する第２所定方向の一側」に、「尿素水タンク１３」は「還元剤タンク」に、「底板１６ａ」は「ブラケット底面部」に、「側板１６ｃ」は「ブラケット壁面部」に、「保持部材１６」は「ブラケット」に、「リアフレーム６」は「車体フレーム」に、「一対の側板１６ｃに取り付けられた状態で前記尿素水タンク１３を保持する」は「１対のブラケット壁面部に対して固定された状態で前記還元剤タンクを支持する」に、「第２の規制バー１６ｅ」は「バンド」に、「突出部１３ｆ」は「タンク側係合部」に、「開口部１６ｆ」は「ブラケット側係合部」に、それぞれ相当する。
　そして、上記相当関係を踏まえると、引用発明における「リアフレーム６に固定される支持フレーム１７に支持されて」と本願発明における「車体フレームに対して固定されて」とは、「車体フレームに対して支持されて」という限りにおいて一致しており、以下同様に、「前記一対の側板１６ｃは、その前部において尿素水タンク１３の下部から上部まで保持し、その中央部及び後部において尿素水タンク１３の下部を保持し、尿素水タンク１３の側面中央部などを露出させるため、尿素水タンク１３が膨張しても、保持部材１６が変形することを防ぐことができ」と「前記１対のブラケット壁面部と前記１対のタンク壁面部とは、前記タンク載置状態で前記還元剤タンクの膨張を許容するように前記第１所定方向に離間して配置され」とは、「前記１対のブラケット壁面部は、前記タンク載置状態で前記還元剤タンクの膨張を許容し」という限りにおいて一致しており、「前記第２の規制バー１６ｅは、前記一対の側板１６ｃに取り付けられた状態で、前記尿素水タンク１３が前記保持部材１６から前方に飛び出ることを防止し」と「前記バンドは、前記１対のブラケット壁面部に対して固定された状態で、前記ブラケット底面部に対する前記還元剤タンクの前記第２所定方向の前記一側へのスライド移動を規制し」とは、「前記バンドは、前記１対のブラケット壁面部に対して固定された状態で、前記還元剤タンクの前記第２所定方向の前記一側への移動を規制し」という限りにおいて一致している。
　したがって、両者の一致点、相違点は以下のとおりである。
〔一致点〕
「タンク底面部と、前記タンク底面部の第１所定方向の両端から起立する１対のタンク壁面部と、前記タンク底面部の前記第１所定方向と交叉する第２所定方向の一側の一端から起立する第２のタンク壁面部と、前記タンク底面部の上方で前記タンク底面部に対向するタンク上面部とを有する還元剤タンクと、
　前記還元剤タンクの前記タンク底面部を下方から支持するブラケット底面部と、前記ブラケット底面部の前記第１所定方向の両端から起立して相対向し、前記タンク底面部が前記ブラケット底面部によって支持されたタンク載置状態で前記１対のタンク壁面部に外側からそれぞれ対向する１対のブラケット壁面部とを有し、車体フレームに対して支持されて前記還元剤タンクを保持するブラケットと、
　前記タンク載置状態で前記第２のタンク壁面部の前記第２所定方向の前記一側で前記第１所定方向に延びて、前記第１所定方向の両端部が前記ブラケットの前記１対のブラケット壁面部に対して固定された状態で前記還元剤タンクを支持するバンドと、を備え、
　前記１対のブラケット壁面部は、前記タンク載置状態で前記還元剤タンクの膨張を許容し、
　前記タンク底面部には、タンク側係合部が形成され、
　前記ブラケット底面部には、前記タンク載置状態で前記タンク底面部の前記タンク側係合部と係合するブラケット側係合部が形成され、
　前記バンドは、前記１対のブラケット壁面部に対して固定された状態で、前記還元剤タンクの前記第２所定方向の前記一側への移動を規制する、
　還元剤タンクの取付構造。」
〔相違点１〕
　「車体フレームに対して支持されて前記還元剤タンクを保持するブラケット」に関して、本願発明においては、車体フレームに対して「固定」されて前記還元剤タンクを保持するブラケットであるのに対して、引用発明においては、リアフレーム６に固定される支持フレーム１７に支持されて前記尿素水タンク１３を保持する保持部材１６である点。
〔相違点２〕
　「前記１対のブラケット壁面部は、前記タンク載置状態で前記還元剤タンクの膨張を許容し、」に関して、本願発明においては、前記１対のブラケット壁面部と前記１対のタンク壁面部とは、前記タンク載置状態で前記還元剤タンクの膨張を許容するように前記第１所定方向に「離間」して配置されるものであるのに対して、引用発明においては、前記一対の側板１６ｃは、その前部において尿素水タンク１３の下部から上部まで保持し、その中央部及び後部において尿素水タンク１３の下部を保持し、尿素水タンク１３の側面中央部などを露出させるため、尿素水タンク１３が膨張しても、保持部材１６が変形することを防ぐことができるものである点。
〔相違点３〕
　本願発明においては「前記還元剤タンクの前記第２のタンク壁面部には、第１の凸部が形成され、前記バンドは、前記１対のブラケット壁面部に対して固定された状態で前記還元剤タンクの前記第１の凸部と係合する支持凹部を有し、前記タンク底面部の前記タンク側係合部及び前記ブラケット底面部の前記ブラケット側係合部のうち、一方の底面部の係合部は、他方の底面部側へ突出した状態で前記第２所定方向に延びる第２の凸部であり、前記他方の底面部の係合部は、前記一方の底面部側から凹んだ状態で前記第２所定方向に延びる凹部であり、前記バンドを前記１対のブラケット壁面部に対して固定する前の状態では、前記タンク底面部の前記タンク側係合部と前記ブラケット底面部の前記ブラケット側係合部との係合は、前記ブラケット底面部に対する前記還元剤タンクの前記第２所定方向に沿ったスライド移動を許容し」、前記バンドは、前記１対のブラケット壁面部に対して固定された状態で、前記ブラケット底面部に対する前記還元剤タンクの前記第２所定方向の前記一側へのスライド移動を規制し、「前記タンク底面部の前記タンク側係合部と前記ブラケット底面部の前記ブラケット側係合部との係合、及び前記還元剤タンクの前記第１の凸部と前記バンドの前記支持凹部との係合は、前記ブラケットに対する前記還元剤タンクの前記第１所定方向に沿った移動を規制する」ものであるのに対して、引用発明においては、前記第２の規制バー１６ｅは、前記一対の側板１６ｃに対して固定された状態で、前記尿素水タンク１３が前記保持部材１６から前方に飛び出ることを防止するものである点。
　事案に鑑み、先ず、上記相違点２について検討する。
　引用文献２記載事項及び引用文献３記載事項は上記のとおりであって、上記相違点２に係る本願発明の発明特定事項を開示ないし示唆するものではない。
　引用文献２の図３から、燃料タンク１５と締め付けロッドのロッド本体との間に隙間があることが看取でき、引用文献３の第１図から、タンク５とサイドメンバ１との間に隙間があることが看取できるものの、これらは、ブラケット壁面部とタンク壁面部とを、「タンクの膨張を許容するように離間」して配置することを開示ないし示唆するものではない。
　そして、ブラケット壁面部とタンク壁面部とを、「タンクの膨張を許容するように離間」して配置することは、本願出願前に周知の技術でもなく設計的事項ということもできない。
　したがって、上記相違点１に係る本願発明の発明特定事項は、引用発明において引用文献２記載事項及び引用文献３記載事項を参酌することにより、当業者が容易に想到することができたということはできない。
　上記相違点３について検討する。
　引用文献２記載事項は上記のとおり「押えプレート２０の左右両側の下面と燃料タンク１５上面との間に、押えパッド２４，２４が挟み込まれ、前記燃料タンク１５の上面における前記押えプレート２０の左右両端部に対応する部分に凹部２６，２６が設けられ、前記押えパッド２４，２４がこの凹部２６，２６に嵌合することにより、タンク上面側において燃料タンク１５が前後及び左右方向に位置固定されること。」というものであり、引用文献３記載事項は上記のとおり「タンク５の底面には係合凹部６が形成され、ブラケット７には係合凸部が形成され、タンク５の底面の係合凹部６と、ブラケット７の係合凸部の係合は、タンク５のブラケット７に対する車長方向のスライドを許容し、車幅方向の移動を拘束するものであること。」というものである。
　これらは、要すれば、押えプレート２０によって燃料タンク１５が位置固定されること、及び、タンク５の底面の係合凹部６と、ブラケット７の係合凸部の係合が、タンク５のブラケット７に対する所定方向のスライドを許容し、前記所定方向と直交する方向の移動を拘束するものであることを、個別に開示するに過ぎないのであって、上記相違点３に係る本願発明の発明特定事項のうち「バンドを１対のブラケット壁面部に対して固定する前の状態では、タンク底面部のタンク側係合部と前記ブラケット底面部のブラケット側係合部との係合は、前記ブラケット底面部に対する還元剤タンクの第２所定方向に沿ったスライド移動を許容し」、「バンドは、１対のブラケット壁面部に対して固定された状態で、ブラケット底面部に対する還元剤タンクの第２所定方向の前記一側へのスライド移動を規制し」、「還元剤タンクの第１の凸部とバンドの支持凹部との係合は、ブラケットに対する前記還元剤タンクの第１所定方向に沿った移動を規制する」という事項を開示ないし示唆するものではない。
　また、本願発明の当該事項は、本願出願前に周知の技術でもなく設計的事項ということもできない。
　したがって、上記相違点３に係る本願発明の発明特定事項は、引用発明において引用文献２記載事項及び引用文献３記載事項を参酌することにより、当業者が容易に想到することができたということはできない。
　本願発明の課題及び効果について検討する。
　本願の発明の詳細な説明には、発明が解決しようとする課題に関して次の記載がある。
「【発明が解決しようとする課題】
【０００４】
　特許文献１に記載の尿素水（還元剤）タンクには、尿素水が貯留されており、尿素水は、尿素の水溶液であるので、寒冷地等の気温が低い場所などでは尿素水が凍結して、尿素水タンクが膨張する可能性がある。しかし、上記特許文献１に記載の尿素水タンクでは、
尿素水タンクの外側面とブラケットの覆い部とが近接または接触しているので、尿素水タンク内の尿素水が凍結して尿素水タンクが膨張すると、ブラケットが破損してしまうおそれがある
尿素水タンクの外側面とブラケットの覆い部とを離間させると、尿素タンクの安定性が低下するおそれがある
ブラケットを厚肉化してブラケットの剛性を向上させると、ブラケットが重量化してしまうおそれがある
【０００５】
　そこで、
本発明は、還元剤タンクの安定性の低下やブラケットの重量化を防止し、且つ還元剤タンクの膨張時のブラケットの破損を防止することが可能な還元剤タンクの取付構造の提供を目的とする
　上記記載によれば、本願発明は、尿素水タンクの外側面とブラケットの覆い部とが近接または接触していると、尿素水タンク内の尿素水が凍結して尿素水タンクが膨張すると、ブラケットが破損してしまうおそれがあり、尿素水タンクの外側面とブラケットの覆い部とを離間させると、尿素タンクの安定性が低下するおそれがあり、また、ブラケットを厚肉化してブラケットの剛性を向上させると、ブラケットが重量化してしまうおそれがあるので、還元剤タンクの安定性の低下やブラケットの重量化を防止し、且つ還元剤タンクの膨張時のブラケットの破損を防止することが可能な還元剤タンクの取付構造の提供することを課題としていると理解できる。
　しかしながら、このような課題は、引用文献１ないし３には記載も示唆もされておらず、当業者にとって自明なものでもない。
　そして、本願発明はその発明特定事項、特に、上記相違点２及び３に係る発明特定事項により、「上記構成では、１対のブラケット壁面部と１対のタンク壁面部とが、タンク載置状態で還元剤タンクの膨張を許容するように上記所定方向に離間して配置されるので、例えば、寒冷地等において還元剤タンクの内部の還元剤が凍結して還元剤タンクが膨張しても、ブラケットの破損を防止することができる。」（発明の詳細な説明の段落【０００８】）、「また、１対のブラケット壁面部と１対のタンク壁面部とを上記所定方向に離間して配置することにより、還元剤タンクの膨張時のブラケットの破損を防止するので、例えば、厚肉化によりブラケットの剛性を向上させてブラケットの破損を防止する場合とは異なり、ブラケットの重量の増加を抑制することができる。」（発明の詳細な説明の段落【０００９】）、「また、タンク載置状態でタンク底面部と係合するブラケット側係合部をブラケット底面部に形成し、タンク底面部とブラケット底面部のブラケット側係合部との係合が、ブラケットに対する還元剤タンクの少なくとも上記所定方向に沿った移動を規制するので、１対のブラケット壁面部と１対のタンク壁面部とを上記所定方向に離間して配置しても、還元剤タンクの安定性を確保することができる。」（発明の詳細な説明の段落【００１０】）及び「また、還元剤タンク１１の外面部１６の凸部１６ａと第１バンド４４の支持凹部４４ｃとが係合し、還元剤タンク１１の上面部１７の凸部１７ａと第２バンド４５の支持凹部４５ｃとが係合する。この還元剤タンク１１の凸部１６ａと第１バンド４４の支持凹部４４ｃとの係合、及び還元剤タンク１１の凸部１７ａと第２バンド４５の支持凹部４５ｃとの係合は、ブラケット１４に対する還元剤タンク１１の前後方向の移動を規制するので、還元剤タンク１１の前後方向の安定性を確実に確保することができる。」（発明の詳細な説明の段落【００３６】）という、特有の効果を奏する。
　したがって、上記相違点１について検討するまでもなく、本願発明は、原査定の引用文献１ないし３に記載された発明に基いて、当業者が容易に発明をすることができたものではない。
第６　むすび
　以上のとおり、原査定の理由によっては、本願を拒絶することはできない。
　また、他に本願を拒絶すべき理由を発見しない。
　よって、結論のとおり審決する。